Podtech/llm-jp-corpus-v4-ja_patent huggingface dataset:
【手続補正書】
【提出日】平成19年10月23日(2007.10.23)
【手続補正１】
【補正対象書類名】明細書
【補正対象項目名】特許請求の範囲
【補正方法】変更
【補正の内容】
【特許請求の範囲】
【請求項１】
光学部品を加工するための装置であって、
制御信号を生成するためのコントローラと、
ターンテーブルとを含み、
前記ターンテーブルが、その外周部に近接して固定された前記光学部品を支持するためのプラットフォームを含み、前記コントローラによって生成された制御信号に応じて、複数の処理ステーションの内の或る処理ステーションから別の処理ステーションにプラットフォームが移動するように回転可能になっており、
前記複数の処理ステーションが、処理する前記光学部品を受け取るための送入ステーションと、前記光学部品の高さの測定および前記光学部品の縁に近接した向き表示マークの検出をするためのスキャニングステーションと、記憶装置に保存された複数の所定の形状レシピから選択された形状レシピに基づいて前記光学部品の幾何中心に対してその外周部を加工するための縁加工ステーションと、前記光学部品の直径が前記所定の形状レシピに一致しているかを確認するための検査ステーションと、洗浄および乾燥ステーションと、加工済み前記光学部品を受け取るための送出ステーションとを含むことを特徴とする装置。
【請求項２】
前記検査ステーションが、研削された前記光学部品の縁部に向き表示マークを設け直すためのノッチングステーションを更に含むことを特徴とする請求項１に記載の装置。
【請求項３】
前記光学部品を前記プラットフォームに自動的に配置するため、および前記光学部品を前記プラットフォームから自動的に取り出すための移送手段を更に含むことを特徴とする請求項１または請求項２に記載の装置。
【請求項４】
前記スキャニングステーションが、
前記光学部品の前面をスキャンしてその絶対高さを決定するための第１のプローブと、
前記光学部品をスキャンして前記向き表示マークの位置を決定するための第２のプローブとを含むことを特徴とする請求項１または請求項２に記載の装置。
【請求項５】
前記移送手段が単面型であって、開いた位置から閉じた位置または閉じた位置から開いた位置に互いに移動可能な２つのフィンガーを備えたグリッパーを含むことを特徴とする請求項３に記載の装置。
【請求項６】
前記移送手段が２面型であって２つのグリッパーを含み、前記各グリッパーが開いた位置および閉じた位置に互いに移動する２つのフィンガーを備えていることを特徴とする請求項３に記載の装置。
【請求項７】
光学部品を自動で加工する方法であって、
移送手段を用いて、前記光学部品をターンテーブルの外側の縁に近接して固定されたプラットフォームに自動的に配置し、そのプラットフォームから前記光学部品を自動的に取り出すステップと、
コントローラによって生成された制御信号に応じて複数の処理ステーションの異なった位置に前記ターンテーブルを回転するステップとを含み、
前記複数の処理ステーションが、前記光学部品を受け取るための送入ステーションと、前記光学部品の幾何中心の決定および前記光学部品の縁部に近接した向き表示マークの検出をするためのスキャニングステーションと、記憶装置に保存された複数の所定の形状レシピから選択された或る形状レシピに基づいて、前記光学部品の前記幾何中心に対して前記光学部品の外周部を加工するための縁加工ステーションと、前記光学部品の直径が前記選択された形状レシピに一致しているかを確認するための検査ステーションと、洗浄および乾燥ステーションと、前記加工した光学部品を受け取るための送出ステーションとを含むことを特徴とする方法。
【請求項８】
光学部品を自動で加工するための方法であって、
（ａ）移送手段を用いて送入ステーションの送入プラットフォームから前記光学部品を自動で取り出すステップと、
（ｂ）前記光学部品をターンテーブルの外周部に近接して固定されたターンテーブルプラットフォームに配置するステップと、
（ｃ）前記移送手段を用いて前記ターンテーブルプラットフォームの中心と実質的に同一中心となるように、自動で前記光学部品を中心に配置するステップと、
（ｄ）前記光学部品がスキャニングステーションに配置されるように前記ターンテーブルを回転させるステップと、
（ｅ）第１のプローブを用いて前記光学部品の高さを決定するべく、前記光学部品の前面をスキャンするステップと、
（ｆ）第２のプローブを用いて向き表示マークの位置を決定するべく、前記光学部品の背面をスキャンするステップとを含むことを特徴とする方法。
【請求項９】
更に、（ｇ）記憶装置に保存された複数の所定の形状レシピから選択された或る形状レシピに基づいて前記光学部品の外周部を研削するための研削ステーションに前記光学部品を配置するべく、前記ターンテーブルを回転させるステップを含むことを特徴とする請求項８に記載の方法。
【請求項１０】
前記回転させるステップ（ｇ）が更に、
（ｈ）前記光学部品を粗研削ステーションに配置するべく前記ターンテーブルを回転させるステップと、
（ｉ）第１の砥石車を用いて、前記選択された形状レシピに基づいて前記光学部品の外周部を研削するステップと、
（ｊ）前記光学部品を精密研削ステーションに配置するべく、前記ターンテーブルを回転させるステップと、
（ｋ）前記第１の砥石車より細かい第２の砥石車を用いて、前記選択されたレシピに基づいて前記光学部品の外周部を研削するステップとを含むことを特徴とする請求項９に記載の方法。
【請求項１１】
光学部品の外周に沿った少なくとも１つの平坦部を有する前記光学部品を加工する装置であって、
前記光学部品の中心位置を出すためのグリッパーを含み、
前記グリッパーが、開いた位置から閉じた位置または閉じた位置から開いた位置に互いに移動可能な２つのフィンガーを有しており、前記フィンガーのそれぞれが一対の歯車を含み、前記歯車のそれぞれがその歯車に対して半径方向内側に移動可能なピンを有しており、前記グリッパーを用いて前記光学部品の中心位置を出す時に、前記歯車により前記光学部品の外周に沿った前記少なくとも１つの平坦部に対して補正がなされることを特徴とする装置。
【手続補正書】
【提出日】平成18年12月27日(2006.12.27)
【手続補正１】
【補正対象書類名】明細書
【補正対象項目名】特許請求の範囲
【補正方法】変更
【補正の内容】
【特許請求の範囲】
【請求項１】  有効量のイリジウムと、周期律表のランタニド系列と一般に称される原子番号５７〜７１の金属からなる群から選ばれる少なくとも１種の第２の金属とを含み、固体触媒担体材料と組み合せた、低級アルキルアルコール、エーテル、エステル及びエステル−アルコール混合物を含む反応体からエステル及びカルボン酸を製造するのに有用なカルボニル化触媒。
【請求項２】  前記担体が炭素である請求項１に記載のカルボニル化触媒。
【請求項３】  前記炭素担体が活性炭である請求項２に記載のカルボニル化触媒。
【請求項４】  前記触媒が前記イリジウム及び少なくとも１種の第２の金属を、それぞれ、０．０１〜１０重量％含む請求項１に記載のカルボニル化触媒。
【請求項５】  前記触媒が、前記イリジウム及び少なくとも１種の第２金属を各々、０．１〜２重量％含む請求項１に記載のカルボニル化触媒。
【請求項６】  前記第２の金属がランタン、セリウム、プラセオジム、ネオジム、それらの塩及びそれらの混合物から選ばれる請求項１に記載のカルボニル化触媒。
【請求項７】  Ｉ2 ，Ｂｒ2 及びＣｌ2 からなる群から選ばれる分子状ハロゲン化物、ハロゲン化水素、気体ヨウ化水素酸、炭素数１２以下のハロゲン化アルキル及びアリール並びにそれらの混合物からなる群から選ばれるハロゲン促進成分を含む第２成分を更に含んでなる請求項１に記載のカルボニル化触媒。
【請求項８】  前記ハロゲン促進成分がヨウ化水素、ヨウ化メチル、ヨウ化エチル、１−ヨードプロパン、２−ヨードブタン、１−ヨードブタン、臭化水素、臭化メチル、臭化エチル、ヨウ化ベンジル及びそれらの混合物からなる群から選ばれる請求項７に記載のカルボニル化触媒。
【請求項９】  前記のハロゲン促進成分がヨウ化水素、ヨウ化メチル、臭化水素、臭化メチル及びそれらの混合物からなる群から選ばれる請求項７に記載のカルボニル化触媒。
【請求項１０】  固体触媒担体材料と組み合された、イリジウムと原子番号５７〜７１の金属からなる群から選ばれた少なくとも１種の第２の金属とをそれぞれ０．０１〜１０重量％含んでなる酢酸、酢酸メチル及びそれらの混合物を気相カルボニル化方法において製造するのに有用な触媒。
【請求項１１】  前記担体が炭素、活性炭、軽石、アルミナ、シリカ、シリカ−アルミナ、マグネシア、珪藻土、ボーキサイト、チタニア、ジルコニア、クレイ、珪酸マグネシウム、炭化珪素、ゼオライト、セラミック及びそれらの組み合わせからなる群から選ばれる請求項１０に記載のカルボニル化触媒。
【請求項１２】  前記固体担体が炭素である請求項１１に記載のカルボニル化触媒。
【請求項１３】  前記固体担体が活性炭である請求項１１に記載のカルボニル化触媒。
【請求項１４】  前記第２の金属がランタン、セリウム、プラセオジム、ネオジム、それらの塩及びそれらの混合物から選ばれる請求項１１に記載のカルボニル化触媒。
【請求項１５】  イリジウムとランタン、セリウム、プラセオジム、ネオジム、それらの塩及びそれらの混合物からなる群から選ばれる少なくとも１種の第２の金属をそれぞれ０．０１〜１０重量％含み、固体触媒担体材料と組み合せた酢酸、酢酸メチル及びそれらの混合物を気相カルボニル化方法において製造するのに有用なカルボニル化触媒。
【請求項１６】  前記担体が炭素、活性炭、軽石、アルミナ、シリカ、シリカ−アルミナ、マグネシア、珪藻土、ボーキサイト、チタニア、ジルコニア、クレイ、珪酸マグネシウム、炭化珪素、ゼオライト、セラミック及びそれらの組み合わせからなる群から選ばれる請求項１５に記載のカルボニル化触媒。
【請求項１７】  前記固体担体が炭素である請求項１５に記載のカルボニル化触媒。
【請求項１８】  前記固体担体が活性炭である請求項１５に記載のカルボニル化触媒。
【請求項１９】  （ａ）炭素、活性炭、軽石、アルミナ、シリカ、シリカ−アルミナ、マグネシア、珪藻土、ボーキサイト、チタニア、ジルコニア、クレイ、珪酸マグネシウム、炭化珪素、ゼオライト、セラミック及びそれらの組み合わせからなる群から選ばれる固体担体材料を準備し；
（ｂ）前記担体材料を、イリジウムと周期律表のランタニド系列と一般に称される原子番号５７〜７１の金属からなる群から選ばれる少なくとも１種の第２の金属とを含む溶液と接触させ；そして
（ｃ）０．０１〜１０重量％のイリジウム及び少なくとも１種の第２の金属が組み合せた固体担体材料を乾燥させる
工程を含んで成る、低級アルキルアルコール、エーテル及びエステル−アルコール混合物の気相カルボニル化よるエステル及びジカルボン酸の製造に有用な固体担持触媒組成物の製造方法。
【請求項２０】  Ｉ2 ，Ｂｒ2 ，Ｃｌ2 、ヨウ化水素、ヨウ化メチル、ヨウ化エチル、１−ヨードプロパン、２−ヨードブタン、１−ヨードブタン、臭化水素、臭化メチル、臭化エチル、ヨウ化ベンジル及びそれらの混合物からなる群から選ばれる少なくとも１種の第２の成分を含む溶液と前記固体担体材料とを接触させることを更に含んでなる請求項１９に記載の方法。
【手続補正書】
【提出日】平成19年2月19日(2007.2.19)
【手続補正１】
【補正対象書類名】明細書
【補正対象項目名】請求項１１
【補正方法】変更
【補正の内容】
【請求項１１】  加水分解ホエイタン白源、脂質源、および血清分離を低減する高アミロース澱粉およびグアールガムを含む十分量の安定剤から成る栄養製品であって、この栄養製品は高アミロース澱粉およびグアールガムは合計で全カロリー含量の約２．２５〜約７．５％を含み、かつ高アミロース澱粉対グアールガムの重量比は約２．５：１〜１６：１である、上記栄養製品。
【手続補正２】
【補正対象書類名】明細書
【補正対象項目名】請求項１６
【補正方法】変更
【補正の内容】
【請求項１６】  １５００ｋカロリーで少なくとも１００％の米国の１日あたり推奨許容量のビタミンおよびミネラルを含む、請求項１１記載の栄養製品。
【手続補正書】
【提出日】平成19年4月13日(2007.4.13)
【手続補正１】
【補正対象書類名】明細書
【補正対象項目名】特許請求の範囲
【補正方法】変更
【補正の内容】
【特許請求の範囲】
【請求項１】  Ｒが、ＨまたはＭｅを表し、
Ｘが、−ＣＨ２−または−ＣＨ＝を表し、
Ｙが、−ＣＨ（Ｒ）−または−Ｃ（Ｒ）＝を表し、
Ｚが、ＣＨ３−またはＣＨ２＝を表し、
Ｍが、１つの放射性同位体を表し、
かつｍ＋ｎの合計が０から１５の値域内にある化学式
2003517457.tif 000001
を有する、脂肪酸類似体。
【請求項２】  前記ｍ＋ｎの合計が３から１１の値域内にある、請求項１に記載の脂肪酸類似体。
【請求項３】  前記類似体が、
Ｒが、ＨまたはＭｅを表し、
Ｘが、−ＣＨ２−または−ＣＨ＝を表し、
Ｙが、−ＣＨ（Ｒ）−または−Ｃ（Ｒ）＝を表し、
Ｍが、１つの放射性同位体を表し、
かつｍ＋ｎの合計が０から１４の値域内にある化学式
2003517457.tif 000002
を有する、脂肪酸類似体。
【請求項４】  前記ｍ＋ｎの合計が３から７の値域内にある、請求項３に記載の脂肪酸類似体。
【請求項５】  前記ｍ＋ｎの合計が５から９の値域内にある、請求項３に記載の脂肪酸類似体。
【請求項６】  前記類似体が、
Ｒが、ＨまたはＭｅを表し、
Ｘが、−ＣＨ２−または−ＣＨ＝を表し、
Ｙが、−ＣＨ（Ｒ）−または−Ｃ（Ｒ）＝を表し、
Ｚが、ＣＨ３−またはＣＨ２＝を表し、
Ｍが、１つの放射性同位体を表し、
かつｍ＋ｎの合計が８から１７の値域内にある化学式
2003517457.tif 000003
を有する、脂肪酸類似体。
【請求項７】  前記ｍ＋ｎの合計が９から１４の値域内にある、請求項６に記載の脂肪酸類似体。
【請求項８】  前記類似体が、
Ｒが、ＨまたはＭｅを表し、
Ｘが、−ＣＨ２−または−ＣＨ＝を表し、
Ｙが、−ＣＨ（Ｒ）−または−Ｃ（Ｒ）＝を表し、
Ｚが、ＣＨ３−またはＣＨ２＝を表し、
Ｍが、１つの放射性同位体を表し、
かつｍ＋ｎの合計が８から１７の値域内にある化学式
2003517457.tif 000004
を有する、脂肪酸類似体。
【請求項９】  前記ｍ＋ｎの合計が９から１４の値域内にある、請求項８に記載の脂肪酸類似体。
【請求項１０】  前記類似体が、
Ｒが、ＨまたはＭｅを表し、
Ｘが、−ＣＨ２−または−ＣＨ＝を表し、
Ｙが、−ＣＨ（Ｒ）−または−Ｃ（Ｒ）＝を表し、
Ｚが、ＣＨ３−またはＣＨ２＝を表し、
Ｅが、−ＣＨ−又は−Ｃ=を表し、
Ｍが、１つの放射性同位体を表し、
ｐが、１、２または３を表し、
かつｍ＋ｎの合計が８から１７の値域内にある化学式
2003517457.tif 000005
を有する、脂肪酸類似体。
【請求項１１】  前記ｍ＋ｎの合計が９から１４の値域内にある、請求項１０に記載の脂肪酸類似体。
【請求項１２】前記類似体が、
Ｒが、ＨまたはＭｅを表し、
Ｘが、−ＣＨ２−または−ＣＨ＝を表し、
Ｙが、−ＣＨ（Ｒ）−または−Ｃ（Ｒ）＝を表し、
Ｚが、ＣＨ３−またはＣＨ２＝を表し、
Ｅが、−ＣＨ−または−Ｃ＝を表し、
Ｍが、１つの放射性同位体を表し、
ｐが、１、２または３を表し、
かつｍ＋ｎの合計が８から１７の値域内にある化学式
2003517457.tif 000006
を有する、脂肪酸類似体。
【請求項１３】  前記ｍ＋ｎの合計が９から１４の値域内にある、請求項１２に記載の脂肪酸類似体。
【請求項１４】  前記類似体が、化学式
2003517457.tif 000007
を有し、
Ｒ３が
2003517457.tif 000008
を表し、
但し式中
Ｘが、−ＣＨ２−または−ＣＨ＝を表し、
Ｙが、−ＣＨ（Ｒ）−または−Ｃ（Ｒ）＝を表し、
Ｚが、ＣＨ３−またはＣＨ２＝を表し、
Ｅが、−ＣＨ−または−Ｃ＝を表し、
Ｍが、１つの放射性同位体を表し、
かつｍ＋ｎの合計が７から１６の値域内にある、
脂肪酸類似体。
【請求項１５】  前記ｍ＋ｎの合計が８から１５の値域内にある、請求項１４に記載の脂肪酸類似体。
【請求項１６】  前記類似体が、化学式
2003517457.tif 000009
を有し、
R3が
2003517457.tif 000010
を表し、
但し式中
Ｘが、−ＣＨ２−または−ＣＨ＝を表し、
Ｙが、−ＣＨ（Ｒ）−または−Ｃ（Ｒ）＝を表し、
Ｚが、ＣＨ３−またはＣＨ２＝を表し、
Ｅが、−ＣＨ−または−Ｃ＝を表し、
Ｍが、１つの放射性同位体を表し、
かつｍ＋ｎの合計が７から１６の値域内にある、
脂肪酸類似体。
【請求項１７】  前記ｍ＋ｎの合計が８から１５の値域内にある、請求項１６に記載の脂肪酸類似体。
【請求項１８】  前記類似体が、化学式
2003517457.tif 000011
を有し、
Ｒ３が
2003517457.tif 000012
を表し、
但し式中
Ｘが、−ＣＨ２−または−ＣＨ＝を表し、
Ｙが、−ＣＨ（Ｒ）−または−Ｃ（Ｒ）＝を表し、
Ｚが、ＣＨ３−またはＣＨ２＝を表し、
Ｅが、−ＣＨ−または−Ｃ＝を表し、
Ｍが、１つの放射性同位体を表し、
かつｍ＋ｎの合計が７から１６の値域内にある、
脂肪酸類似体。  
【請求項１９】  前記ｍ＋ｎの合計が８から１５の値域内にある、請求項１４に記載の脂肪酸類似体。
【手続補正書】
【提出日】平成18年12月21日(2006.12.21)
【手続補正１】
【補正対象書類名】明細書
【補正対象項目名】特許請求の範囲
【補正方法】変更
【補正の内容】
【特許請求の範囲】
【請求項１】  円形の情報記憶ディスク、特にコンパクトディスク用のボール紙などから成る包装ユニットであり、平らで、短い側に側部開口を備えた四角形ケーシングと、ケーシング内に挿入可能且つ抜き取り可能な収納エンベロープとから成り、
ケーシングとエンベロープが、エンベロープの最初の挿入後にブロック位置を越えないように協働するブロックフラップ（７６、８１）を備え、
エンベロープがケーシングの内空間（８４）に対応した寸法の底部分（８０）と、ケーシングの内空間で上向きに折りたたまれる分離プレート（７４）と、折り畳まれて、底部分の挿入端部と逆側に配置される端部でエンベロープの前記ブロックフラップを形成するフラップ（７６）と、上向きに折り畳まれる蓋フラップ（７３）とを有し、蓋フラップは、エンベロープがブロック位置まで抜き出されたときにケーシングによって覆われないような長さを有し、分離プレートは、包装されるディスクの周縁に沿って且つ、周縁部に対して上向きに折り畳まれて、分離プレート上でディスクを保持する少なくとも一つの保持舌部（７６、７６´、７６″）を有し、
分離プレート（７４）が、包装されるディスクの周縁に配置される突出支持要素（８６、８８）を備え、保持舌部（７６、７６´、７６″）が、折り目により折り畳まれ、折り目は保持舌部が分離プレート（７４）から間隔をあけて配置されるように形成され、保持舌部の平面が包装されるディスクの上側に部分的に延びることを特徴とする包装ユニット。
【請求項２】  支持要素が、前記周縁部の周りに配置された複数のボスによって形成されることを特徴とする請求項１に記載の包装ユニット。
【請求項３】  前記ボスが、包装されるディスクの円周に対応する円の外側において最大高さ（９０）を有するように配置され、包装されるディスクの周縁部が、ボスが有する中心方向に傾斜する部分に接触することを特徴とする請求項２に記載の包装ユニット。
【請求項４】  突出支持要素を、分離プレート（７４）の材料に対する打ち込み変形によって形成することを特徴とする請求項１〜３のいずれか一項に記載の包装ユニット。
【請求項５】  ボスを、分離プレート（７４）の表面に接着させることを特徴とする請求項２〜４のいずれか一項に記載の包装ユニット。
【請求項６】  突出支持要素が、ディスクの中心近くに配置されたリム（Ｒ）の高さに適する高さであることを特徴とする請求項１〜５のいずれか一項に記載の包装ユニット。
【請求項７】  ブックレットが、分離プレートの下に挿入され、そのブックレットが分離プレートに面し、ブックレットと分離プレートとの間に挿入された第二のディスクの周縁部を支持する突出支持要素を備えることを特徴とする請求項１〜６のいずれか一項に記載の包装ユニット。
【請求項８】  突出支持要素が、第二のコンパクトディスクをその周縁部で支持する底プレート（８０）に配置され、第二のコンパクトディスクが底プレートと分離プレート（７４）との間に収納されることを特徴とする請求項１〜６のいずれか一項に記載の包装ユニット。
【手続補正書】
【提出日】平成19年5月25日(2007.5.25)
【手続補正１】
【補正対象書類名】明細書
【補正対象項目名】特許請求の範囲
【補正方法】変更
【補正の内容】
【特許請求の範囲】
【請求項１】  有効成分として、ａβの残基１−１０内のエピトープに特異的に結合するキメラ抗体またはヒト化抗体を含んで成る、患者の脳内のａβのアミロイド沈着物が関係する疾患を予防または処置するための製薬学的製剤。
【請求項２】  有効成分として、ａβの残基１〜１０内のエピトープに特異的に結合し、かつ、アイソタイプがＩｇＧ１である抗体を含んで成る、患者の脳内のａβのアミロイド沈着物が関係する疾患を予防または処置するための製薬学的製剤。
疾患が認知障害を特徴とする、請求項１に記載の方法。
【請求項３】  抗体のアイソタイプがＩｇＧ１またはＩｇＧ４である請求項１記載の製薬学的製剤。
【請求項４】   抗体のアイソタイプがＩｇＧ１である請求項３記載の製薬学的製剤。
【請求項５】  抗体のアイソタイプがＩｇＧ２またはＩｇＧ３である請求項１記載の製薬学的製剤。
【請求項６】  抗体が
Ａβの残基１‐６、
Ａβの残基１‐７、
Ａβの残基１‐４、
Ａβの残基１−３、
Ａβの残基３−６、または
Ａβの残基３−７
内のエピトープに特異的に結合する、請求項１〜５のいずれか一つに記載の製薬学的製剤。
【請求項７】  抗体がＡβの遊離Ｎ-末端残基を含んで成るエピトープに特異的に結合する、請求項１〜６のいずれか一つに記載の製薬学的製剤。
【請求項８】  抗体がＡβの残基１−１０内のエピトープに結合し、ここでＡβの残基１および／または残基７はイソ−アスパラギン酸である、請求項１〜７のいずれか一つに記載の製薬学的製剤。
【請求項９】  抗体がポリクローナル抗体またはモノクローナル抗体である請求項１〜８のいずれか一つに記載の製薬学的製剤。
【請求項１０】  抗体が軽および重鎖の同じ対の２コピーを含んで成る、請求項１〜９のいずれか一つに記載の製薬学的製剤。
【請求項１１】  抗体が、Ａβのエピトープに特異的に結合する第一の軽および重鎖対、ならびにミクログリア細胞上のＦｃレセプターに特異的に結合する第二の軽および重鎖対を含んで成る二重特異性抗体である、請求項１〜８のいずれか一つに記載の製薬学的製剤。
【請求項１２】  抗体の一つの鎖がヘテロロガスなポリペプチドに融合している、請求項１〜１１のいずれか一つに記載の製薬学的製剤。
【請求項１３】  抗体が完全長のアミロイド前駆体タンパク質（ＡＰＰ）には結合せずに、Ａβペプチドに特異的に結合する、請求項１〜１２のいずれか一つに記載の製薬学的製剤。
【請求項１４】  Ａβの異なるエピトープに結合する少なくとも１種の他の抗体をさらに含んで成る、請求項１〜１３のいずれか一つに記載の製薬学的製剤。
【請求項１５】  アジュバントをさらに含んでなり、そしてアジュバントが非経口投与について製薬学的に許容されうる希釈剤である、請求項１〜１４のいずれか一つに記載の製薬学的製剤。
【請求項１６】  腹腔内、経口的、鼻腔内、皮下、筋肉内、局所的または静脈内に投与されるべく調製されている請求項１〜１５のいずれか一つに記載の製薬学的製剤。
【請求項１７】  少なくとも６ヶ月間に亘り多投薬用量で投与されるべく調製されている請求項１〜１６のいずれか一つに記載の製薬学的製剤。
【請求項１８】  徐放性組成物として投与されるべく調製されている請求項１〜１７のいずれか一つに記載の製薬学的製剤。
【請求項１９】  抗体の投薬用量が患者の体重１ｋｇ当り少なくとも１ｍｇである請求項１〜１８のいずれか一つに記載の製薬学的製剤。
【請求項２０】  抗体の投薬用量が患者の体重１ｋｇ当り少なくとも１０ｍｇである請求項１９記載の製薬学的製剤。
【請求項２１】  患者の脳内のＡβのアミロイド沈着物が関係する疾患を予防または処置するための医薬組成物の製造における請求項１〜１３のいずれか一つにおいて特定されている抗体の使用。
【手続補正書】
【提出日】平成19年2月8日(2007.2.8)
【手続補正１】
【補正対象書類名】明細書
【補正対象項目名】特許請求の範囲
【補正方法】変更
【補正の内容】
【特許請求の範囲】
【請求項１】  ａ）入口端部と出口端部とを含み、入口部分に触媒を含む、一体構造の連続気泡発泡体コアからなる触媒床であって、前記触媒が、前記発泡体コアの触媒化された気泡における炭素沈積を最小限に抑えながら燃料気体の一部を燃焼させてそれによって前記触媒床の温度を上昇させるように機能する、触媒床と、
ｂ）前記触媒床からの出口通路に位置する処理燃料気体流と熱交換するように配置され、それによって、処理燃料気体流から熱が移動することになる燃料気体入口通路と、
ｃ）処理燃料気体流と熱交換するように配置され、それによって、処理燃料気体流から熱が移動することになる空気入口通路と、
ｄ）前記発泡体コア触媒床に沈積された燃料気体改質触媒と、
を備えること特徴とする炭化水素燃料気体の自熱式改質装置。
【請求項２】  前記触媒床は、貴金属と酸化カルシウムとを含むことを特徴とする請求項１記載の改質装置。
【請求項３】  前記発泡体コア触媒床は、各領域が異なる触媒組成を有する少なくとも２つの触媒化された領域を含むことを特徴とする請求項１記載の改質装置。
【請求項４】  前記発泡体コア触媒床の第１の領域は、酸化カルシウムと組み合わせた貴金属触媒を含むことを特徴とする請求項３記載の改質装置。
【請求項５】  前記発泡体コア触媒床の第２の領域は、酸化カルシウムと組み合わせた卑金属触媒を含むことを特徴とする請求項４記載の改質装置。
【請求項６】  前記発泡体コア触媒床の前記第１の領域は、白金触媒を含み、前記発泡体コア触媒床の前記第２の領域は、ニッケル触媒を含むことを特徴とする請求項５記載の改質装置。
【請求項７】  前記発泡体コア触媒床の前記第１の領域は、酸化鉄・酸化カルシウム触媒混合物を含み、前記発泡体コア触媒床の第２の領域は、ニッケル触媒を含むことを特徴とする請求項４記載の改質装置。
【請求項８】  前記触媒床の前記第１の領域は、さらに、貴金属触媒により促進されていることを特徴とする請求項７記載の改質装置。
【請求項９】  前記貴金属触媒は、白金、パラジウム、ロジウム、これらの混合物からなる群より選択される触媒であることを特徴とする請求項８記載の改質装置。
【請求項１０】  前記発泡体コア触媒床は、貴金属触媒と酸化カルシウム触媒とを含む第１の領域と、前記貴金属触媒を含む後続の領域とを含むことを特徴とする請求項１記載の改質装置。
【請求項１１】  前記貴金属触媒は、白金、パラジウム、ロジウムからなる群より選択されることを特徴とする請求項１０記載の改質装置。
【請求項１２】  前記発泡体触媒床は、少なくとも１つのセラミック発泡体保持体であることを特徴とする請求項１記載の改質装置。
【請求項１３】  前記発泡体コア触媒床は、ステンレス鋼、ニッケル合金、鉄−アルミニウム合金からなる群より選択される高温相溶性金属保持体を含むことを特徴とする請求項１記載の改質装置。
【請求項１４】  前記金属保持体は、前記改質装置の始動時に抵抗加熱要素として機能するように電源に接続されることを特徴とする請求項１３記載の改質装置。
【請求項１５】  前記金属保持体は、電流を供給後約２０秒以内に、作動温度に電気的に加熱されることを特徴とする請求項１４記載の改質装置。
【請求項１６】  前記触媒床は、形状が円柱状であることを特徴とする請求項１記載の改質装置。
【請求項１７】  前記燃料気体入口通路は、燃料気体・水蒸気混合物を含むことを特徴とする請求項１記載の改質装置。
【請求項１８】  前記空気入口通路は、空気・水蒸気混合物を含むことを特徴とする請求項１記載の改質装置。
【請求項１９】  ａ）入口端部と出口端部とを有する円柱状の一体構造の連続気泡発泡体からなるコア触媒床と、
ｂ）燃料気体・水蒸気混合物の入口通路と、
ｃ）前記円柱状発泡体コア触媒床に沈積された燃料気体改質触媒と、
を備えることを特徴とする炭化水素燃料気体の自熱式改質装置。
【請求項２０】  ａ）入口端部と出口端部とを含み、入口部分に触媒を含む、一体構造の連続気泡発泡体コアからなる触媒床であって、前記触媒が、前記発泡体コアの触媒化された気泡における炭素沈積を最小限に抑えながら燃料気体の一部を燃焼させそれによって前記触媒床の温度を上昇させるように機能する、触媒床と、
ｂ）前記発泡体コア触媒床に沈積された燃料気体改質触媒と、
を備えることを特徴とする炭化水素燃料気体の自熱式改質装置。
【請求項２１】  ａ）入口端部と出口端部とを含み、入口部分に貴金属促進触媒を含む、一体構造の連続気泡発泡体コアからなる触媒床であって、前記貴金属促進触媒が、前記発泡体コアの触媒化された気泡における炭素沈積を最小限に抑えながら燃料気体の一部を約５００ーＦの温度で燃焼させそれによって改質装置の迅速な始動を可能とするように機能する、触媒床と、
ｂ）前記触媒床からの出口通路に位置する処理燃料気体流と熱交換するように配置され、それによって、処理気体流から熱が移動することになる燃料気体入口通路と、
ｃ）処理気体流と熱交換するように配置され、それによって、処理気体流から熱が移動することになる空気入口通路と、
ｄ）前記発泡体コア触媒床に沈積された燃料気体改質触媒と、
を備えることを特徴とする炭化水素燃料気体の自熱式改質装置。
【請求項２２】  入口端部と出口端部とを含み入口部分に貴金属促進触媒を含む、一体構造の連続気泡発泡体コアからなる触媒床を備え、前記貴金属促進触媒は、前記触媒床の触媒化された気泡における炭素沈積を最小限に抑えながら、燃料気体の一部を約５００ーＦの温度で燃焼させ、それによって改質装置の迅速な始動を可能とするように機能することを特徴とする炭化水素燃料気体の自熱式改質装置。
【手続補正書】
【提出日】平成19年2月14日(2007.2.14)
【手続補正１】
【補正対象書類名】明細書
【補正対象項目名】特許請求の範囲
【補正方法】変更
【補正の内容】
【特許請求の範囲】
【請求項１】  (a)改変初期領域1(E1)を含むヘルパーアデノウイルスであって、該E1領域に含まれるアデノウイルスパッケージングシグナルの両端に部位特異的リコンビナーゼ標的認識部位が隣接しているヘルパーアデノウイルス；
（b）該部位特異的リコンビナーゼ標的認識部位の間の部位特異的組換えを触媒するリコンビナーゼ；ならびに、
（c）（i）ウイルスの複製及びパッケージングを維持するのに十分な左側ITR配列及び右側ITR配列が保持される、最大約35,000塩基対までのアデノウイルス配列の欠失、及び
（ii）最大約35,000塩基対までの1つ又は複数の外因性核酸配列断片
を含むヘルパー依存アデノウイルスベクター
を含む外因性DNA配列を発現させるためのアデノウイルスベクター系。
【請求項２】  リコンビナーゼが、Cre、FLP、またはその両方であり、且つ標的部位がlox部位、FRT部位、またはその組み合わせである、請求項1に記載の組換えアデノウイルスベクター系。
【請求項３】  該ヘルパーアデノウイルス及び該ヘルパー依存アデノウイルスベクターの両方が導入された細胞からリコンビナーゼを発現する、請求項1に記載の組換えアデノウイルスベクター系。
【請求項４】  リコンビナーゼが、ヘルパーアデノウイルス、ヘルパー依存アデノウイルスベクター、ヘルパーアデノウイルス及びヘルパー依存アデノウイルスベクターの両方、または第3のベクターによりコードされるリコンビナーゼである、請求項1に記載の組換えアデノウイルスベクター系。
【請求項５】  改変初期領域1（E1）中に含まれるアデノウイルスパッケージングシグナルの両端に部位特異的リコンビナーゼ標的認識部位が隣接しているE1領域を含むヘルパーアデノウイルスを作製するためのプラスミドであって、片側に部位特異的リコンビナーゼ標的認識部位が隣接したウイルスゲノム由来のパッケージング配列によりウイルスゲノムのE1領域の配列が置換された改変環状アデノウイルスゲノムを含む、該プラスミド。
【請求項６】  細菌性プラスミドの複製起点、抗生物質耐性遺伝子、またはその両方をさらに含む、請求項5に記載のプラスミド。
【請求項７】  リコンビナーゼが、Cre、FLP、またはその両方であり、標的部位がlox部位、FRT部位、またはその両方である、請求項6に記載のプラスミド。
【請求項８】  E1領域中に含まれるパッケージングシグナルの両端に部位特異的リコンビナーゼ認識部位が隣接したE1領域を含むアデノウイルスで細胞に感染させることを含む、パッケージング不可能なヘルパーアデノウイルスゲノムの作製方法であって、該細胞が、該E1領域中に含まれるパッケージングシグナルが除去されるように、該部位特異的リコンビナーゼ認識部位が隣接した核酸配列の除去を触媒する部位特異的リコンビナーゼを発現し、それにより得られたアデノウイルスゲノムはパッケージングされない方法。
【請求項９】  リコンビナーゼが、Cre、FLP、またはその両方であり、部位特異的リコンビナーゼ認識部位が、lox部位、FRT部位、またはその両方である、請求項8に記載の方法。
【請求項１０】  （a）E1領域に含まれるパッケージングシグナルの両端に部位特異的リコンビナーゼ認識部位が隣接した該E1領域を含むヘルパーアデノウイルス、及び
（b）ヘルパー依存アデノウイルスベクター
を細胞に共感染させる段階を含むパッケージングされたヘルパー依存アデノウイルスベクターの作製方法であって、
共感染された細胞の培養下で、ヘルパーアデノウイルスが複製されるがパッケージングされないようにヘルパーアデノウイルスのパッケージングシグナルの除去を該リコンビナーゼが触媒するように、該細胞は該ヘルパーアデノウイルスの複製を維持し、且つ該細胞は部位特異的リコンビナーゼを発現し、ならびに該ヘルパーアデノウイルスは該ヘルパー依存アデノウイルスベクターの複製を維持し、且つ該ヘルパー依存アデノウイルスはアデノウイルスビリオン中へパッケージングされる方法。
【請求項１１】  リコンビナーゼが、Cre、FLP、またはその両方であり、部位特異的リコンビナーゼ認識部位が、lox部位、FRT部位、またはその両方である、請求項10に記載の方法。
【請求項１２】  ヘルパー依存アデノウイルスベクターが、
（a）アデノウィルスパッケージングシグナル、ならびにウイルスの複製及びパッケージングを維持するのに十分な左側ITR配列及び右側ITR配列が保持される、最大約35,000塩基対までのアデノウイルスゲノム配列の欠失、および
（b）最大約35,000塩基対までの1つ又は複数の外因性DNA配列断片
を含む、請求項10に記載の方法。
【請求項１３】  ヘルパーアデノウイルスと共に細胞に共感染するヘルパー依存アデノウイルスベクターの複製を維持するヘルパーアデノウイルスの特定の核酸配列を除去する方法であって、該特定の核酸配列の両端にリコンビナーゼ認識部位が隣接するように該ヘルパーアデノウイルスを構築し、そして、該特定の核酸配列の除去を誘導するように該ヘルパーアデノウイルスを該リコンビナーゼと接触させることを含む方法。
【請求項１４】  リコンビナーゼが、Cre、FLP、またはその両方であり、リコンビナーゼ認識部位がlox部位、FRT部位、またはその両方である、請求項13に記載の方法。
【請求項１５】  リコンビナーゼが、該ヘルパーアデノウイルス、該ヘルパー依存アデノウイルスベクター、該細胞、第3のベクター、またはその組み合わせによりコードされる、請求項13に記載の方法。
【請求項１６】  ウイルスのDNA複製及びパッケージングを維持するのに十分な左側ITR及び右側ITRならびにパッケージングシグナルを含む、十分な左側および右側配列が保持される、最大約35,000塩基対までのアデノウイルスゲノムの欠失、ならびに、最大約35,000塩基対までの1つ又は複数の外因性DNA配列断片を含むヘルパー依存アデノウイルスベクターを宿主に導入することを含む、核酸配列の発現方法であって、
該ヘルパー依存アデノウイルスベクターが、
（a）リコンビナーゼ標的部位が両端に隣接されたパッケージングシグナルを含むヘルパーアデノウイルス、及び
（b）該ヘルパー依存アデノウイルスベクター
をヘルパーアデノウイルスの複製を維持する単離細胞に共感染させることにより作製され、
該単離細胞が、ヘルパーアデノウイルスが複製されるが、パッケージングはされないようにヘルパーアデノウイルスのパッケージングシグナルの除去を触媒するリコンビナーゼを付加的に発現し、
該ヘルパーアデノウイルスは、宿主への導入のため回収されるアデノウイルスビリオン中にヘルパー依存アデノウイルスベクターがパッケージングされるようにヘルパー依存アデノウイルスベクターの複製を維持し、それにより核酸配列を発現する方法。
【請求項１７】  リコンビナーゼが、Cre、FLP、またはその両方であり、リコンビナーゼ認識部位が、lox部位、FRT部位、またはその両方である、請求項16に記載の方法。
【手続補正書】
【提出日】平成19年6月26日(2007.6.26)
【手続補正１】
【補正対象書類名】明細書
【補正対象項目名】特許請求の範囲
【補正方法】変更
【補正の内容】
【特許請求の範囲】
【請求項１】  注射器用の安全装置であり、
本体（１４）と、
本体の一端に装着された針キャリア（１５）と、
本体内を軸線方向に移動可能なピストンと、針キャリアとは逆側で本体から突出し且つ、ピストンを本体内部で針キャリアに向かって押すのに適したピストンプランジャー（１７）と、
針キャリアがシースの一方の端部（２）と同一平面上にある注入位置と、針キャリアがシースの中に収納される安全位置との間を、注射器本体が軸線方向に摺動可能なシース（１）と、
また注射器本体が注入位置にある時、軸線方向に圧縮され且つ、本体を安全位置に摺動させる力を本体に加えるらせん状バネ（５）と、
シース（１）が、実質的に長手方向に延びる少なくとも一つの放射方向に可動な弾性タブ（１１）から成り、注射器本体（１４）がシース（１）に配置しない時であっても、バネを圧縮状態に保つように配置され、
解放機構が、シース（１）内を摺動するキャップ（２２）から成り、注射器のピストンプランジャー（１７）が本体（１４）内で、ピストンを針キャリア（１５）の近くまで押し入れた時、注射器本体とバネの少なくとも一つを解放するため、キャップがシース（１）内で弾性タブ（１１）に向かって移動し、弾性タブ（１１）を放射方向に離すように動くこと、
を特徴とする安全装置。
【請求項２】  らせん状バネ（５）が，シース（１）の内部においてその長手部分で、注射器本体（１４）を囲むように受容され、バネはシースの当接面及び注射器本体のカラー（２１）の両方に対して当接することを特徴とする請求項１に記載の安全装置。
【請求項３】  シース（１）が端部（２）と逆側にヘッド（３）を有し、弾性タブ（１１）がヘッドにスナップ留め、差し込まれ或いは結合されるか、またはシースと一体型に形成されたリングによって、支持されることを特徴とする請求項１または２に記載の安全装置。
【手続補正書】
【提出日】平成19年11月5日(2007.11.5)
【手続補正１】
【補正対象書類名】明細書
【補正対象項目名】特許請求の範囲
【補正方法】変更
【補正の内容】
【特許請求の範囲】
【請求項１】  
組織の欠陥補修や増殖のための医用組成物を調製する方法の用途の生体外培養細胞であって、
前記方法は、生体外細胞培養物(培地)の中で複数の生育可能細胞を培養する工程を含み、
前記欠陥は、括約筋構造の機能不良、脂肪沈着の存在、異常に肥大した傷跡、皮膚薄弱化、皮膚弛緩、火傷、傷、ヘルニア、靭帯破裂、腱破裂、禿頭、歯周の不調、歯周の病気、及び胸部組織の欠陥により構成されたグループから選択され、 前記用途は、（1）生体外培養物からの生育できる哺乳類の細胞から成る組成物、及び（2）哺乳類の細胞の生体外培養物からの細胞から生まれた細胞外マトリックスから成る組成物、により構成されたグループから選択された、組織欠陥矯正に効果的な、または組織増強に効果的な量の組成物を欠陥の場所の内部又はそれに接近した場所における組織の中に挿入する工程を含むこと、を特徴とする前記用途の生体外培養細胞。
【請求項２】
被検者の欠陥を直すための医用組成物を調製する用途の生体外培養細胞であって、
前記用途は、前記医用組成物の有効量を前記欠陥に投入する工程を含み、
前記医用組成物は、生体外培養され成育可能な複数の幼児細胞か、又は、生体外培養され成育可能な複数の年少者細胞を含み、
前記幼児細胞または前記年少者細胞は、増殖して生体外培養細胞を形成し、
前記欠陥は、括約筋構造の機能不良、脂肪沈着の存在、異常に肥大した傷跡、皮膚薄弱化、皮膚弛緩、火傷、傷、ヘルニア、靭帯破裂、腱破裂、禿頭、歯周の不調、歯周の病気、及び胸部組織の欠陥により構成されたグループから選択されること、
を特徴とする前記用途の生体外培養細胞。
【請求項３】
前記生体外細胞培地は、線維芽細胞である細胞タイプに属し、 前記線維芽細胞は、選択的に真皮、筋膜、固有層、基質、靭帯、腱、筋肉、結合組織そして皮膚乳頭からなるグループから選択されること、を特徴とする請求項１記載の方法に適した用途の生体外培養細胞。
【請求項４】
前記生体外細胞培地は、細胞タイプに属し、 前記細胞タイプは、１つのグループから選択され、 前記グループは、線維芽細胞、筋肉細胞、平滑筋細胞、骨格筋細胞、横紋筋細胞、筋芽細胞、未分間葉細胞、大食細胞、メラニン細胞、ケラチノサイト、脂肪分解細胞、脂肪化前細胞、筋線維芽細胞、及びそれらの混合物から構成されること、
を特徴とする請求項３記載の方法に適した用途の生体外培養細胞
【請求項５】
前記細胞欠陥は、括約筋構造の機能不良であり、
前記機能不良は、失禁、膀胱・尿道間の逆流及び胃・食道間の逆流からなるグループから選択される１つの状態に帰着すること、
を特徴とする請求項１から４のいずれかに記載の用途に適した生体外培養細胞。
【請求項６】  
前記生育可能細胞は、非自家移植の血清に晒されることなく、自家移植の血清を含む少なくとも１つの媒体の中で培養されること、
を特徴とする請求項１から５のいずれかに記載の用途に適した生体外培養細胞。
【請求項７】
前記培養細胞は、細胞外マトリックスを生産し、
前記細胞外マトリックスは、生体外培養自家移植細胞と一緒に前記欠陥内に置かれること、
を特徴とする請求項１から６のいずれかに記載の用途に適した生体外培養細胞。
【請求項８】
前記培養細胞は、細胞外マトリックスを生産し、
前記細胞外マトリックスは、前記細胞から隔離されて前記欠陥内に置かれ、
前記細胞は、選択的に、前記欠陥に付加され得ること、
を特徴とする請求項１から６のいずれかに記載の用途に適した生体外培養細胞。
【請求項９】
前記培養細胞は、自家移植の細胞であること、
を特徴とする請求項１から８のいずれかに記載の用途に適した生体外培養細胞。
【請求項１０】
前記被検者は、人であること、
を特徴とする請求項１から６のいずれかに記載の用途に適した生体外培養細胞。
【請求項１１】        前記用途は、細胞の取出し工程を含み、 前記工程において、少なくとも１つの構成要素から選択された組織から前記細胞が取出され、 前記構成要素は、皮膚、表皮、真皮、網状真皮、乳頭状真皮、筋膜、脂肪組織、固有膜、間質、結合組織、腱、靭帯、筋肉、毛胞域、及び哺乳類の培養細胞を培養するための皮膚乳頭からなるグループの１つの構成要素であること、
を特徴とする請求項１から１０のいずれかに記載の用途に適した生体外培養細胞。
【手続補正書】
【提出日】平成19年11月7日(2007.11.7)
【手続補正１】
【補正対象書類名】明細書
【補正対象項目名】特許請求の範囲
【補正方法】変更
【補正の内容】
【特許請求の範囲】
【請求項１】  MUC1のVNTRモノマー由来の少なくとも５個の連続アミノ酸残基を含有するポリペプチドをコードする単離ポリヌクレオチドを含んでなる核酸ワクチン構築物であって、１以上の前記アミノ酸がグリコシル化部位であり、前記単離ポリヌクレオチドが哺乳動物細胞中に発現されるときに得られるポリペプチドのグリコシル化が少なくとも１つの前記グリコシル化部位において改変または阻止されることを特徴とする前記核酸ワクチン構築物。
【請求項２】  MUC1の１つのVNTRモノマーの断片を含んでなるポリペプチドをコードする単離ポリヌクレオチドを含んでなる、請求項１に記載の核酸ワクチン構築物。
【請求項３】  MUC1のVNTRモノマーの１コピーを含んでなるポリペプチドをコードする単離ポリヌクレオチドを含んでなる、請求項１に記載の核酸ワクチン構築物
【請求項４】  前記単離ポリヌクレオチドが改変されていて、得られるポリペプチドに少なくとも１つのアミノ酸突然変異が起こりグリコシル化の前記改変または阻止をもたらすことをさらに特徴とする、請求項１から３のいずれか１項に記載の核酸ワクチン構築物。
【請求項５】  前記突然変異がアミノ酸置換である、請求項５に記載の核酸ワクチン構築物。
【請求項６】  コードされたポリペプチドが発現されると抗体SM3、ATR1、HMFG2またはHMFG1と結合することをさらに特徴とする、請求項１から５のいずれか１項に記載の核酸ワクチン構築物。
【請求項７】  コードされたポリペプチドが発現されるとコードされたポリペプチドに存在するグリコシル化部位の少なくとも60%においてグリコシル化が阻止または改変されていることをさらに特徴とする、請求項１から６のいずれか1項に記載の核酸ワクチン構築物。
【請求項８】  コードされたポリペプチドが発現されると存在するグリコシル化部位の少なくとも80%においてグリコシル化が阻止または改変されている請求項７に記載の核酸ワクチン構築物。
【請求項９】  コードされたポリペプチドが発現されると存在するグリコシル化部位の全てにおいてグリコシル化が阻止または改変されている請求項８に記載の核酸ワクチン構築物。
【請求項１０】  コードされたポリペプチドが発現されると少なくとも１つのトレオニンまたはセリンがバリン、イソロイシン、アラニン、アスパラギン、フェニルアラニンまたはトリプトファンによって置換されている請求項７〜９のいずれか１項に記載の核酸ワクチン構築物。
【請求項１１】  配列
GC# CC# GA* GT/U# CG# CC#
（ここに#はヌクレオチドA、G、CまたはT/Uであり、*はヌクレオチドT/UまたはCである）を含んでなる核酸ワクチン構築物。
【請求項１２】  図３に示す配列を含んでなる、請求項１１に記載の核酸ワクチン構築物。
【請求項１３】  配列
GC# CC# GA* AT/U@ CG# CC#
（ここに#はヌクレオチドA、G、CまたはT/Uであり、*はヌクレオチドT/UまたはCであり、@はヌクレオチドT/U、AまたはCである）を含んでなる核酸ワクチン構築物。
【請求項１４】  図２に示す配列を含んでなる、請求項１３に記載の核酸ワクチン構築物。
【請求項１５】  異種ポリペプチドをコードするポリヌクレオチドをさらに含んでなる、請求項１から１４のいずれか１項に記載の核酸ワクチン構築物。
【請求項１６】  異種ポリペプチドが破傷風毒素、B型肝炎ウイルスコアタンパク質、B型肝炎ウイルス表面タンパク質、卵白アルブミン、グルタチオンSトランスフェラーゼ、キーホールリンペットヘモシアニン、またはハト・シトクロムCであることを特徴とする、請求項１５に記載の核酸ワクチン構築物。
【請求項１７】  請求項１から１６のいずれか１項に記載の核酸ワクチン構築物を製薬上許容される担体と一緒に含んでなる、ワクチン組成物。
【請求項１８】  腫瘍に対する哺乳動物のワクチン接種に使用するための、請求項１〜１６のいずれか１項に記載の核酸ワクチン構築物または請求項１７に記載の組成物。
【請求項１９】  腫瘍に対する哺乳動物のワクチン接種に使用するための医薬品の製造における、請求項１〜１６のいずれか１項に記載の核酸ワクチン構築物または請求項１７に記載の組成物の使用。
【請求項２０】  構築物または組成物を遺伝子銃を使って投与する、請求項１８または１９に記載の使用。
【請求項２１】  腫瘍が上皮細胞腫瘍である、請求項１８、１９または２０に記載の使用。
【請求項２２】  腫瘍が乳癌であることを特徴とする、請求項２１に記載の使用。
【手続補正書】
【提出日】平成19年11月1日(2007.11.1)
【手続補正１】
【補正対象書類名】明細書
【補正対象項目名】特許請求の範囲
【補正方法】変更
【補正の内容】
【特許請求の範囲】
【請求項１】  ａ）１、２、１１、１２または４３番目の残基で開始する、配列番号２のアミノ酸配列を有する；
ｂ）１、２、１１、１２または４３番目の残基で開始する、配列番号４のアミノ酸配列を有する；
ｃ）１、２、１１、１２または４３番目の残基で開始する、配列番号６のアミノ酸配列を有する；
ｄ）上記ａ）、ｂ）若しくはｃ）で規定されるポリペプチドに対して１以上のアミノ酸の置換、欠失若しくは挿入を有する少なくとも４０アミノ酸長であり、該ポリペプチドのアミノ酸配列と少なくとも８０％一致する誘導体である；または
ｅ）少なくとも２５アミノ酸長である、上記ａ）、ｂ）若しくはｃ）で規定されるポリペプチドの断片、または少なくとも４０アミノ酸長である、上記ｄ）で規定されるポリペプチドの断片である、
ポリペプチド。
【請求項２】  下記配列：
ＱＰＩＲＩＹＳＲＡＳＬＹＧＰＮＩＧＲＰＲＫＮＶ（配列番号９）；
ＤＴＬＳＤＱＩＲＫＩＱＫＶＶＮＴＹＴＰＧＫＫＩＷ（配列番号１０）；または
ＡＶＨＶＡＧＬＱＲＫＰＲＰＧＲＶＩＲＤＫＬＲＩＹＡ（配列番号１１）
を有する、請求項１に記載のポリペプチド。
【請求項３】  ヒト若しくは非ヒト動物の処置に使用されるまたは診断に使用される請求項１または２に記載のポリペプチド。
【請求項４】  請求項１または２に記載のポリペプチド及び製薬上許容できる担体を含む薬剤組成物。
【請求項５】  請求項４に記載の組成物を有するキット。
【請求項６】  該組成物の使用に関する使用説明書をさらに含む、請求項５に記載のキット。
【請求項７】  請求項１または２に記載のポリペプチドに結合する抗体またはその誘導体。
【請求項８】  該抗体はモノクローナル抗体である、請求項７に記載の抗体。
【請求項９】  請求項１または２に記載のポリペプチドの異常なレベルに関連する症状／病気の処置および／または予防を目的とする請求項６または７に記載の抗体を含む薬剤。
【請求項１０】  （ｉ）請求項１または２に記載のポリペプチドをコードする配列；または
（ｉｉ）（ｉ）の配列と相補的である配列
を含むまたはから構成される核酸分子。
【請求項１１】  その５’または３’である配列の全部または一部を含むまたは含まない、配列番号１の６０１、６０４、６３１、６３４若しくは７２７から２３７６番目までの残基、配列番号３の６０１、６０４、６３１、６３４若しくは７２７から２２０２番目までの残基または配列番号５の６０１、６０４、６３１、６３４若しくは７２７から２０４０番目までの残基で示されるＤＮＡ配列またはそのＲＮＡ等価物である配列を含むまたはから構成される、請求項１０に記載の核酸分子。
【請求項１２】  請求項１０または１１に記載の核酸分子を含むベクター。
【請求項１３】  下記：プロモーター、エンハンサー、シグナル配列、リーダー配列、翻訳開始及び終結シグナル、ＤＮＡ安定性制御領域、または融合パートナーの一以上をコード化する核酸をさらに含む、請求項１２に記載のベクター。
【請求項１４】  原核生物または真核生物宿主の形質転換またはトランスフェクションにおける請求項１２または１３に記載のベクターの使用。
【請求項１５】  請求項１２または１３に記載のベクターで形質転換された宿主細胞。
【請求項１６】  ポリペプチドの発現を引き起こす条件下で請求項１５に記載の宿主をインキュベートした後、該ポリペプチドを精製する段階を有する、請求項１に記載のポリペプチドを得る方法。
【請求項１７】  試験物質の存在下での請求項１または２に記載のポリペプチドの活性を該試験物質の不存在下での該ポリペプチドの活性と比較する段階を有する、請求項１または２に記載のポリペプチドの活性を調節する物質の同定方法。
【請求項１８】  請求項１または２に記載のポリペプチドの異常なレベルに関連する症状／病気の処置および／または予防を目的とする請求項１または２に記載のポリペプチドの活性を調節する物質を含む薬剤。
【請求項１９】  該症状／病気は、癌、転移性癌、ＣＮＳ及び神経消耗疾患、炎症及び心臓血管疾患、乾癬、紅斑性狼瘡及び同種移植等の自己免疫疾患、リウマチ様−及び骨関節炎を含む関接炎等の炎症性疾患、喘息、血管の再狭窄、粥状硬化、線維−増殖性疾患、アルツハイマー病、糖尿病性網膜症ならびに創傷治癒から選択される、請求項９または１８に記載の薬剤。
【手続補正書】
【提出日】平成19年1月15日(2007.1.15)
【手続補正１】
【補正対象書類名】明細書
【補正対象項目名】特許請求の範囲
【補正方法】変更
【補正の内容】
【特許請求の範囲】
【請求項１】  （ａ）GDFタンパク質を生産する細胞を培養した培地を得る
こと；（ｂ）GDF活性を阻害する能力に関して該培地を試験し、それによりGDFイ
ンヒビターを同定すること：
を含んでなる、GDFタンパク質のインヒビターの同定方法。
【請求項２】  （ａ）GDFタンパク質のフラグメントを調製すること；（
ｂ）GDF活性を阻害する能力に関して該フラグメントを試験し、それによりGDFイ
ンヒビターを同定すること：
を含んでなる、GDFタンパク質のインヒビターの同定方法。
【請求項３】  ヒトGDF-8またはGDF-11をコードするインサートを含有す
る発現プラスミドで安定にトランスフェクションしたCHO細胞を単離した培地か
らイオン交換クロマトグラフィーにより単離することができ、100℃で10分まで
の間加熱した後に活性を保持し、還元後に活性を保持し、そして6M尿素での処理
後に活性を保持するGDF-8またはGDF-11インヒビター。
【請求項４】  ヒトGDF-8またはGDF-11をコードするインサートを含有す
る発現プラスミドで安定にトランスフェクションしたCHO細胞を単離した培地か
らイオン交換クロマトグラフィーにより単離することができ、100℃で10分まで
の間加熱した後に活性を保持し、還元後に活性を失い、そして6M尿素での処理後
に活性を保持するGDF-8またはGDF-11インヒビター。
【請求項５】  GDF活性を阻害するGDFタンパク質またはペプチド。
【請求項６】  GDFタンパク質のプロ-ドメインまたはプロ-ドメインの一
部を含んでなるGDFインヒビター。
【請求項７】  細胞にトランスフェクションするとGDF発現を阻害する、
配列番号：1、2、3及び4よりなる群から選択されるヌクレオチド配列を含んでな
る単離された核酸。
【請求項８】  細胞にトランスフェクションするとGDF発現を阻害する、
配列番号：5-24よりなる群から選択されるヌクレオチド配列を含んでなる単離さ
れた核酸。
【請求項９】  GDFタンパク質の変異体を含んでなるGDFインヒビター。
【請求項１０】  細胞におけるGDF活性を阻害する、配列番号：25、29また
は30よりなる群から選択されるアミノ酸配列を含んでなる単離されたポリペプチ
ド。
【請求項１１】  GDFインヒビターを発現する非ヒト動物。